(57)【要約】【課題】リードスクリューに係合するラック部材のクリープ変形を防止する支持体駆動機構及びディスクプレーヤを提供すること。【解決手段】リードスクリューと、このリードスクリューと平行に配置された案内シャフトと、この案内シャフトに軸方向に移動自在に支持された樹脂製のラック部材本体１１５Ａと、このラック部材本体１１５Ａに薄肉部１１５Ｃを介して傾倒自在に設けられ、リードスクリューと噛み合うギア部１１５Ｂと、ラック部材本体１１５Ａに設けられ、ギア部１１５Ｂをリードスクリューに向けて付勢する板ばね１２１とを備え、この板ばね１２１に、ラック部材本体１１５Ａに係合して、ギア部１１５Ｂの傾倒角度を規制する規制部１２１Ｄを設けた。【選択図】図８
2007257770.tif 000002
【特許請求の範囲】
【請求項１】
リードスクリューと、このリードスクリューと平行に配置された案内シャフトと、この案内シャフトに軸方向に移動自在に支持された樹脂製の支持体と、この支持体に薄肉部を介して傾倒自在に設けられ、前記リードスクリューと噛み合うギア部と、前記支持体に設けられ、前記ギア部をリードスクリューに向けて付勢する板ばねとを備え、
この板ばねに、前記支持体に係合して、前記ギア部の傾倒角度を規制する規制部を設けたことを特徴とする支持体駆動機構。
【請求項２】
前記板ばねは、前記ギア部の背面に当接する当接部を備え、この当接部の少なくとも一方の側縁に前記規制部が形成されていることを特徴とする請求項１に記載の支持体駆動機構。
【請求項３】
前記支持体と前記ギア部とが一体に成形されていることを特徴とする請求項１または２に記載の支持体駆動機構。
【請求項４】
ディスクを回転させるドライブユニットと、この回転したディスクから信号を読み出すピックアップと、このピックアップを前記ディスクの半径方向にスライド移動させるピックアップ駆動機構とを備え、
このピックアップ駆動機構は、前記ディスクの半径方向に沿って配置されたリードスクリューと、このリードスクリューと平行に配置された案内シャフトと、この案内シャフトに軸方向に移動自在に支持され、前記ピックアップを載置するピックアップ光学部品支持部材と、このピックアップ光学部品支持部材に連結された樹脂製の支持体と、この支持体に薄肉部を介して傾倒自在に設けられ、前記リードスクリューと噛み合うギア部と、前記支持体に設けられ、前記ギア部をリードスクリューに向けて付勢する板ばねとを備え、
この板ばねに、前記支持体に係合して、前記ギア部の傾倒角度を規制する規制部を設けたことを特徴とするディスクプレーヤ。
【請求項５】
前記板ばねは、前記ギア部の背面に当接する当接部を備え、この当接部の少なくとも一方の側縁に前記規制部が形成されていることを特徴とする請求項４に記載のディスクプレーヤ。
【請求項６】
前記支持体と前記ギア部とが一体に成形されていることを特徴とする請求項４または５に記載のディスクプレーヤ。
【発明の詳細な説明】
【技術分野】
【０００１】
本発明は、案内シャフトに軸方向に移動自在に支持された支持体を駆動する支持体駆動機構及びこれを用いたディスクプレーヤに関する。
【背景技術】
【０００２】
一般に、ＣＤ（コンパクトディスク）、ＤＶＤ（デジタル・バーサタイル・ディスク）等の記録媒体ディスクの情報を再生するディスクプレーヤでは、ターンテーブル上にディスクをチャッキングし、この状態でターンテーブルを回転してディスクを回転させるドライブユニットと、回転されたディスクから情報を読み取るピックアップをディスクの半径方向にスライド移動させるピックアップ駆動機構とを備えて構成されている（例えば、特許文献１参照）。
この種のピックアップ駆動機構では、らせん状に溝を形成したリードスクリューと、ピックアップに取付けられ、上記リードスクリューの溝に係合する突起と当該突起をリードスクリューの溝に押圧する弾性体を有するラック部材（支持体）とを備え、このリードスクリューの溝とラック部材の突起との係合状態を良好に確保するものが提案されている（特許文献２参照）。
【特許文献１】ＷＯ／２００１／０９１１１９号公報
【特許文献２】特開２００３−３６６１５号公報
【発明の開示】
【発明が解決しようとする課題】
【０００３】
しかし、従来の構成では、ラック部材の一部が弾性体の付勢力によって変形（クリープ変形）したり、その一部が破損したりするといった問題があった。
【０００４】
そこで、本発明の目的は、上述した従来の技術が有する課題を解消し、リードスクリューの溝とラック部材の突起との係合状態を良好に確保するとともに、弾性体の付勢力によるラック部材のクリープ変形を防止する支持体駆動機構及びディスクプレーヤを提供することにある。
【課題を解決するための手段】
【０００５】
本発明は、リードスクリューと、このリードスクリューと平行に配置された案内シャフトと、この案内シャフトに軸方向に移動自在に支持された樹脂製の支持体と、この支持体に薄肉部を介して傾倒自在に設けられ、前記リードスクリューと噛み合うギア部と、前記支持体に設けられ、前記ギア部をリードスクリューに向けて付勢する板ばねとを備え、この板ばねに、前記支持体に係合して、前記ギア部の傾倒角度を規制する規制部を設けたことを特徴とする。この構成では、規制部は、ギア部が薄肉部を介して所定角度以上に傾倒することを防止し、このギア部の傾倒に伴う薄肉部の変形が防止される。
【０００６】
この場合において、前記板ばねは、前記ギア部の背面に当接する当接部を備え、この当接部の少なくとも一方の側縁に前記規制部が形成されている構成としても良い。また、前記支持体と前記ギア部とが一体に成形されている構成としても良い。
【０００７】
また、本発明は、ディスクを回転させるドライブユニットと、この回転したディスクから信号を読み出すピックアップと、このピックアップを前記ディスクの半径方向にスライド移動させるピックアップ駆動機構とを備え、このピックアップ駆動機構は、前記ディスクの半径方向に沿って配置されたリードスクリューと、このリードスクリューと平行に配置された案内シャフトと、この案内シャフトに軸方向に移動自在に支持され、前記ピックアップを載置するピックアップ光学部品支持部材と、このピックアップ光学部品支持部材に連結された樹脂製の支持体と、この支持体に薄肉部を介して傾倒自在に設けられ、前記リードスクリューと噛み合うギア部と、前記支持体に設けられ、前記ギア部をリードスクリューに向けて付勢する板ばねとを備え、この板ばねに、前記支持体に係合して、前記ギア部の傾倒角度を規制する規制部を設けたことを特徴とする。この構成では、規制部は、ギア部が薄肉部を介して所定角度以上に傾倒することを防止し、このギア部の傾倒に伴う薄肉部の変形が防止される。
【０００８】
この場合において、前記板ばねは、前記ギア部の背面に当接する当接部を備え、この当接部の少なくとも一方の側縁に前記規制部が形成されている構成としても良い。また、前記支持体と前記ギア部とが一体に成形されている構成としても良い。
【０００９】
また、本発明は、リードスクリューと、このリードスクリューと平行に配置された案内シャフトと、この案内シャフトに軸方向に移動自在に支持された樹脂製の支持体と、この支持体に薄肉部を介して傾倒自在に設けられ、前記リードスクリューと噛み合うギア部と、前記支持体に設けられ、前記ギア部をリードスクリューに向けて付勢するコイルばねとを備え、前記ギア部に、前記支持体に係合して、当該ギア部の傾倒角度を規制する規制部を設けたことを特徴とする。この構成では、規制部によりギア部が薄肉部を介して所定角度以上に傾倒することを防止し、このギア部の傾倒に伴う薄肉部の変形が防止される。
【００１０】
また、本発明は、ディスクを回転させるドライブユニットと、この回転したディスクから信号を読み出すピックアップと、このピックアップを前記ディスクの半径方向にスライド移動させるピックアップ駆動機構とを備え、このピックアップ駆動機構は、前記ディスクの半径方向に沿って配置されたリードスクリューと、このリードスクリューと平行に配置された案内シャフトと、この案内シャフトに軸方向に移動自在に支持され、前記ピックアップを載置するピックアップ光学部品支持部材と、このピックアップ光学部品支持部材に連結された樹脂製の支持体と、この支持体に薄肉部を介して傾倒自在に設けられ、前記リードスクリューと噛み合うギア部と、前記支持体に設けられ、前記ギア部をリードスクリューに向けて付勢するコイルばねとを備え、前記ギア部に、前記支持体に係合して、当該ギア部の傾倒角度を規制する規制部を設けたことを特徴とする。この構成では、規制部によりギア部が薄肉部を介して所定角度以上に傾倒することを防止し、このギア部の傾倒に伴う薄肉部の変形が防止される。
【発明の効果】
【００１１】
本発明では、リードスクリューと、このリードスクリューと平行に配置された案内シャフトと、この案内シャフトに軸方向に移動自在に支持された樹脂製の支持体と、この支持体に薄肉部を介して傾倒自在に設けられ、前記リードスクリューと噛み合うギア部と、前記支持体に設けられ、前記ギア部をリードスクリューに向けて付勢する板ばねとを備え、この板ばねに、前記支持体に係合して、前記ギア部の傾倒角度を規制する規制部を設けたため、この規制部は、ギア部が薄肉部を介して所定角度以上に傾倒することを防止し、このギア部の傾倒に伴う薄肉部の変形を防止できる。
【発明を実施するための最良の形態】
【００１２】
以下、本発明の一実施の形態を、図面に基づき説明する。
図１は、本実施の形態に係るディスクプレーヤの外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、それをクランプするためのクランパメカニズム、それをドライブするためのドライブメカニズム等が設けられている。
【００１３】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。
【００１４】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランパメカやドライブメカが一体化されたドライブユニット９が載置されて、フローティング支持されている。
このドライブユニット９は、図４及び図５に示すように、ベースプレート１３と、このベースプレート１３の後端部の両側にヒンジ１５で連結され、先端１７Ａを閉じる方向にばね付勢されて、ベースフレーム１３と協働してディスクを挟持するスイングプレート１７とを備えている。このスイングプレート１７の先端１７Ａにはマグネット入りの回転板１９が支持され、この回転板１９に対向するターンテーブル２１が、ベースプレート１３に支持されている。そして、後述するように、ディスクが挿入されて、スイングプレート１７が閉じると、先端１７Ａの回転板１９とターンテーブル２１とで挟持されてディスクが回転可能になる。
【００１５】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、ディスクが検知されると、モータ２４により駆動されて、当該ディスクを本体１内に引き込む。このローディングローラ２５は、ローラ支持板２７に支持され、このローラ支持板２７の基部は、ヒンジピン２８によりロアーシャーシ５に連結されている。よって、このローディングローラ２５は、ローラ支持板２７の揺動により、その高さ位置を変位させる。
【００１６】
ドライブユニット９の上面の左後部には支持ピン３０を介してトリガープレート３１が揺動自在に支持されている。このトリガープレート３１は、ばね３１Ｓにより、反時計方向に付勢されており、その一端３１Ａには、ドライブユニット９の内方に折り曲げられた、２つの爪部３２，３３が各々一体に形成されている。一方の爪部３２には、引き込まれた８ｃｍディスクが当接可能であり、他方の爪部３３には、引き込まれた１２ｃｍディスクが当接可能である。トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００１７】
このトリガー３５の一部は、図４に示すように、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００１８】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のスイングプレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００１９】
上記トリガーカム４１が前進（矢印Ｘの方向）すると、上記一部１７Ｂが当接しているカム面４１Ａが徐々に低くなって、スイングプレート１７が、ばね力で閉じる方向に揺動し、さらに前進してトリガーカム４１が前進限界の位置に移動すると、一部１７Ｂがカム面４１Ａから完全に離れ、スイングプレート１７の先端の回転板１９と、ターンテーブル２１とによるディスクのクランプが完了する。それと同時に、スイングプレート１７の一部１７Ｂとカム面４１Ａとの係合解除によって、ドライブユニット９が、３つの防振構造体１１を介して完全にフローティング支持される。
また、同時に、ローディングローラ２５の駆動軸２５Ａが、傾斜溝４１Ｂに沿って低い位置に移動し、ローラ支持板２７の揺動により、ローディングローラ２５が低く変位し、このローディングローラ２５が、クランプ時のディスクの下面から離れる。この状態において、ターンテーブル２１を回転させるとともに、ディスクの半径方向にピックアップ１０８（図６参照）を移動させることにより、当該ディスクの再生が行われる。
【００２０】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、スイングプレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、スイングプレート１７の先端の回転板１９と、ターンテーブル２１との間にディスク挿入用の隙間を形成する。
【００２１】
それと同時に、ローディングローラ２５の駆動軸２５Ａが、傾斜溝４１Ｂに沿って徐々に高い位置に移動し、後退限界の位置では、ローラプレート２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、図示を省略した機構によりロアーシャーシ５にロックされる。
【００２２】
ところで、本構成では、ドライブユニット９のベースプレート１３には、図６に示すように、開口部Ｍが形成され、この開口部Ｍには、ピックアップ１０８をディスクの半径方向（図中Ｐ方向）に移動させるピックアップ駆動部（支持体駆動機構、ピックアップ駆動機構）１１０が配置されている。このピックアップ駆動部１１０は、ディスクの半径方向に沿って設けられたリードスクリュー１１１と、このリードスクリュー１１１に略平行に配置された２本の案内シャフト１１２、１１３と、これら案内シャフト１１２、１１３間に掛け渡されるとともに、上記リードスクリューの回転により、当該案内シャフト１１２、１１３の軸方向に沿ってスライド移動自在なピックアップ光学部品支持部材１１４とを備える。
リードスクリュー１１１の一端には、図７に示すように、このリードスクリュー１１１を回転駆動するステッピングモータ１１６が直結されており、他端はベースプレート１１６Ａに形成された軸受部１１６Ｂによって回転自在に支持されている。また、案内シャフト１１２、１１３は、それぞれベースプレート１３の下面側に形成された軸受部（不図示）によって支持されている。
【００２３】
ピックアップ光学部品支持部材１１４は、上記ピックアップ１０８が搭載される基部１１４Ａを備え、この基部１１４Ａの一端側には、案内シャフト１１２が挿通される挿通孔１２０を有する第１軸受部１１４Ｂが設けられ、当該基部１１４Ａの他端側には、案内シャフト１１３に係合される断面略コ字上に形成された第２軸受部１１４Ｃとが設けられている。
本実施形態では、ピックアップ光学部品支持部材１１４の第１軸受部１１４Ｂには、ラック部材１１５と、このラック部材１１５のギア部１１５Ｂ（後述する）をリードスクリュー１１１に向けて付勢する板ばね１２１とが重ねて配置され、これらラック部材１１５及び板ばね１２１は、ねじ１２２によって第１軸受部１１４Ｂに固定されている。
【００２４】
ラック部材１１５は、図８に示すように、樹脂製のラック部材本体（支持体）１１５Ａと、このラック部材本体１１５Ａの前面側に配置されたギア部１１５Ｂとを備え、このギア部１１５Ｂの前面には、リードスクリュー１１１に噛み合う複数（本実施形態では２つ）の第１の突起１３１、１３１が形成されている。また、ラック部材本体１１５Ａの前面には、これら突起１３１に並べて第２の突起１３２、１３２が形成されている。
ギア部１１５Ｂは、図９に示すように、その下端が薄肉部１１５Ｃを介して、ラック部材本体１１５Ａに連結されている。すなわち、ラック部材１１５は、ラック部材本体１１５Ａとギア部１１５Ｂとを備えて樹脂により一体成形されており、このギア部１１５Ｂは、薄肉部１１５Ｃを介して傾倒自在に構成されている。本構成では、ギア部１１５Ｂに形成された第１の突起１３１が可動歯として機能し、ラック部材本体１１５Ａに形成された第２の突起１３２が固定歯として機能する。
【００２５】
一方、板ばね１２１は、図８に示すように、ラック部材本体１１５Ａに固定される平板部１２１Ａと、この平板部１２１Ａに連ねて設けられ、断面が略く字状に屈曲されたばね部１２１Ｂとを備える。このばね部１２１Ｂの先端部には、この先端部を略直角に内方に折り曲げて形成された当接部１２１Ｃが設けられ、この当接部１２１Ｃは、ギア部１１５Ｂの背面に形成された凹部１３３（図９）に嵌る。
また、ばね部１２１Ｂには、ギア部１１５Ｂが板ばね１２１の付勢力により、薄肉部１１５Ｃを介して傾倒した場合に、ラック部材本体１１５Ａに係合して、当該ギア部１１５Ｂの傾倒角度を規制する規制部１２１Ｄ、１２１Ｄが形成されている。この規制部１２１Ｄは、上記当接部１２１Ｃの両側端から延出し、上記ギア部１１５Ｂの幅よりも大きく形成されている。
また、ラック部材本体１１５Ａには、図９に示すように、板ばね１２１の規制部１２１Ｄが収容される溝部１３５が形成されており、ギア部１１５Ｂが薄肉部１１５Ｃを介して傾倒した場合に、規制部１２１Ｄが溝部１３５の前面１３５Ａに当接することにより、当該ギア部１１５Ｂの傾倒角度が規制される。
【００２６】
本実施形態によれば、ディスクを回転させるドライブユニット９と、この回転したディスクから信号を読み出すピックアップ１０８と、このピックアッ１０８をディスクの半径方向にスライド移動させるピックアップ駆動機構１１０とを備え、このピックアップ駆動機構１１０は、ディスクの半径方向に沿って配置されたリードスクリュー１１１と、このリードスクリュー１１１と平行に配置された案内シャフト１１２、１１３と、この案内シャフト１１２、１１３に軸方向に移動自在に支持され、ピックアップ１０８を載置するピックアップ光学部品支持部材１１４と、このピックアップ光学部品支持部材１１４に連結された樹脂製のラック部材本体１１５Ａと、このラック部材本体１１５Ａに薄肉部１１５Ｃを介して傾倒自在に設けられ、リードスクリュー１１１と噛み合うギア部１１５Ｂと、ラック部材本体１１５Ａに設けられ、ギア部１１５Ｂをリードスクリュー１１１に向けて付勢する板ばね１２１とを備え、この板ばね１２１に、ラック部材本体１１５Ａに係合して、ギア部１１５Ｂの傾倒角度を規制する規制部１２１Ｄを設けたため、この規制部１２１Ｄは、ギア部１１５Ｂが薄肉部１１５Ｃを介して所定角度以上に傾倒することを防止し、このギア部１１５Ｂの傾倒に伴う薄肉部１１５Ｃのクリープ変形を防止できる。
また、板ばね１２１によるクリープ変形を最小減に抑えることができるため、ピックアップ駆動部１１０の組み付け作業を容易に行うことができる。
【００２７】
また、本実施形態によれば、板ばね１２１は、ギア部１１５Ｂの背面に当接する当接部１２１Ｂを備え、この当接部１２１Ｂの両側縁に規制部１２１Ｄが形成されているため、板ばね１２１の形状が簡素化され、この板ばね１２１を簡単に作成できるとともに、この板ばね１２１をラック部材１１５に組み付ける作業を容易にすることができる。
【００２８】
また、本実施形態によれば、ラック部材本体１１５Ａとギア部１１５Ｂとが樹脂により一体に成形されているため、ラック部材１１５を容易に作成することができる。
【００２９】
また、本構成では、図１に示すように、挿入されるディスクの外周部に当接して当該挿入口２３の側方に退避する一対のゲート部材５９を、ディスクの挿入口２３に備えて構成されている。このゲート部材５９は、挿入口２３に対しほぼ中心振り分けで配置された一対のターンプレート６２，６３を備え、これらターンプレート６２，６３は、図１０に示すように、アッパーシャーシ７の前部外面に、各々ピン（支持部材）６４，６５を介して連結されている。ターンプレート６２，６３は、ばね６０，６１により、閉じる方向（矢印Ａの方向）に付勢され、このターンプレート６２，６３には、挿入口２３に臨む一対のゲートピン６７，６８が取り付けられている。
【００３０】
また、ターンプレート６２，６３の基部にはスライド孔６２Ａ，６３Ａがあけられ、このスライド孔６２Ａ，６３Ａに嵌るピン７１，７２が、連結プレート７３に各々取り付けられている。これらターンプレート６２，６３の基部同士は、連結プレート７３で連結されている。この連結プレート７３にはピン１７３が固定され、このピン１７３は、図１３に示すように、アッパーシャーシ７の縦孔１０７に嵌り、アッパーシャーシ７の下面に臨んでいる。縦孔１０７の中程の両孔壁には、縦孔１０７の幅Ｗよりも拡径した円弧溝１０７Ａ，１０７Ｂが形成されている。
また、図１０に示すように、この連結プレート７３には、ディスクの挿入方向（矢印Ｚの方向）に延びた一対のガイド孔７４，７５が形成され、このガイド孔７４，７５に嵌る案内部７６，７７は、アッパーシャーシ７の一部を切り起こして、上方に立ち上げた後、水平に曲げて形成され、この立ち上げた細い部分がガイド孔７４，７５に嵌る。７８はアッパーシャーシ７に取り付けられたプレートであり、このプレート７８はターンプレート６２，６３の閉じ方向のストッパとして機能する。
【００３１】
ディスクが挿入口２３に挿入された場合、ディスクは、上記ゲートピン６７，６８を側方に押し退ける。例えば、１２ｃｍ径の大きいディスク１００が挿入されると、図１１に示すように、ディスク１００の外周部１００Ａが、一対のゲートピン６７，６８を挿入口２３の側方に押し退け、ターンプレート６２，６３が開く方向（矢印Ｂの方向）に回動する。この回動に伴い、ピン７１，７２が、スライド孔６２Ａ，６３Ａの中を移動し、これにより、ターンプレート６２，６３の揺動に連動し、連結プレート７３が、案内部７６，７７に沿ってディスク挿入方向（矢印Ｚの方向）に往復移動する。
【００３２】
図１２は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００が一方のゲートピン６７の側に偏って挿入された場合、他方のゲートピン６８をほとんど押し退けずに、一方のピン６７だけを押し退けた状態になる。この場合には、一方のゲートピン６７の側のターンプレート６２だけが開く方向（矢印Ｂの方向）に回動する。
【００３３】
本構成では、他方のターンプレート６３が開かないで、一方のターンプレート６２だけが開く場合、連結プレート７３は、ピン７２の側が回動せずに、ピン７１の側だけが回動する。この場合、連結プレート７３が斜めになる。
【００３４】
この連結プレート７３が斜めになると、図１３Ｂを参照し、縦孔１０７を移動するピン１７３が、縦孔１０７の途中で傾いた方のいずれかの円弧溝１０７Ａ，１０７Ｂに嵌り、連結プレート７３が、それ以上、ディスク２００の挿入方向（矢印Ｚの方向）に移動しなくなり、従って、ターンプレート６２，６３のそれ以上の回動が阻止されて、ディスクの挿入が阻止される。この状態は、ディスク２００が他方のゲートピン６８の側に偏って挿入された場合も同様である。なお、ピン１７３及び円弧溝１０７Ａ，１０７Ｂがロック手段を構成している。
【００３５】
すなわち、本構成では、挿入口２３の端に偏ってディスク２００が挿入された場合、縦孔１０７を移動するピン１７３が、縦孔１０７の途中で傾いた方のいずれかの円弧溝１０７Ａ，１０７Ｂに嵌り、それ以上、連結プレート７３が前後方向に移動できなくなり、連結プレート７３がロックされる。これによれば、いわゆる挿入口２３の端に偏ったディスクの挿入が禁止される。
従って、従来のような、片側に寄った状態で吸い込まれたディスクを本体の内側で中央に案内するための機構が不要になり、その分、装置を小型化でき、特に装置の厚さ方向の寸法を小さくできる。
【００３６】
図１３は、アッパーシャーシ７を裏側から見た斜視図である。アッパーシャーシ７の内面には、アッパーシャーシ７の組み付け時に下方（ローディングローラ２５に相対する側）に突出して、挿入口２３に挿入されたディスクを下方（または上方）に案内する、２列に延びるガイドバー（案内機構）８１，８２が設けられる。
【００３７】
これらガイドバー８１，８２は、挿入口２３の横方向に相互に平行に延出し、各々が、挿入口２３の端に向けて高さを徐々に大きくする。手前のガイドバー８１は、中心に近い位置ｍから突部８１Ａの高さを徐々に大きくし、奥のガイドバー８２は、それよりも端に寄った位置ｎから突部８２Ａの高さを徐々に大きくする。一対のガイドバー８１，８２にはローディングローラ２５が対向し、このローラ２５とガイドバー８１，８２とに挟持されて、ディスクがローディングされる。
【００３８】
図１４は、８ｃｍ径のディスク２００を挿入した場合の断面図、図１５は、同じく斜視図、図１６は、１２ｃｍ径のディスク１００を挿入した場合の断面図、図１７は、同じく斜視図である。
【００３９】
図１４に示すように、８ｃｍ径のディスク２００を挿入した場合、挿入口２３から挿入されたディスク２００は、ローディングローラ２５と、各ガイドバー８１，８２の低い突部８１Ａ，８２Ａとの間に挟持されて、本体１の内側の高所に位置する第１のローディング経路ＲＫ１に沿って、本体１の奥にローディングされる。第１のローディング経路ＲＫ１の終端部には、第１のディスク当接部８３が位置し、ディスク２００は、第１のディスク当接部８３に当接して停止し、この段階でディスク２００が、図１５に示すように、トリガープレート３１の爪部３２を押動し、これをトリガーに、上述したように、ディスク２００のクランプ動作が実行される。
【００４０】
図１６に示すように、１２ｃｍ径のディスク１００を挿入した場合、挿入口２３から挿入されたディスク１００は、ローディングローラ２５と、各ガイドバー８１，８２の高くなった突部８１Ａ，８２Ａとの間に挟持されて、本体１の内側の低所に位置する第２のローディング経路ＲＫ２に沿って、本体１の奥にローディングされる。図１７に示すように、１２ｃｍ径のディスク１００の外周（図中右奥）にはガイドバー３３１が当接可能に形成されている。このガイドバー３３１はピン３１０により回動自在に支持され、ばね３１２を介して、ピン３１０回りを時計方向に付勢されている。図１５に示すように、ガイドバー３３１の自由端の下面には、奥下がりのテーパ面３１３が形成され、１２ｃｍ径のディスク１００が挿入されると、まず、このテーパ面３１３に沿ってディスク１００の先端１００Ａが下方に向けられ、トリガープレート３１の爪部３２が交わされる。そして、ディスク１００がさらに奥に進入すると、ガイドバー３３１が、ピン３１０回りを反時計方向に回動し、このガイドバー３３１がディスク１００の外周をガイドしつつ、安定したローディングが実行される。第２のローディング経路ＲＫ２の終端部には、第２のディスク当接部８４が位置しており、ディスク１００は、第２のディスク当接部８４に当接して停止して、この段階でディスク１００が、図１７に示すように、トリガープレート３１の爪部３３を押動し、これをトリガーにして、上述したように、ディスク１００のクランプ動作が実行される。このクランプが完了すると、上記ガイドバー３３１の下面の突起３１４が、スイングプレート１７側の窪み（図示せず）に嵌合し、このガイドバー３３１が、ディスク１００の外周から離れて固定される。従って、演奏時に、ガイドバー３３１がディスク１００に接触することがない。
【００４１】
本構成では、本体１の内側に上下に分けて異なるローディング経路ＲＫ１、ローディング経路ＲＫ２を形成したため、従来のように、ローディング経路の終端部に、径の異なるディスクを保持するための複雑な機構を設ける必要がなくなり、装置の薄型化を実現することができる。また、本構成は、例えば材質等が異なるディスクをローディングするディスクプレーヤにも適用でき、この場合、ローディング経路に材質等に応じた工夫を施せば、ディスクに傷等のつかないものが提供される。
【００４２】
次に、ラック部材の変形例について図１８及び図１９を参照して説明する。図１８は、ラック部材１５０を示す分解斜視図であり、図１９は、このラック部材１５０の断面を示す斜視図である。この場合、ラック部材１５０以外の構成は上述したものと同じであるため、ここでは説明を省略する。
ラック部材１５０は、図１８に示すように、樹脂製のラック部材本体（支持体）１５１Ａと、このラック部材本体１５１Ａの前面側に配置されたギア部１５１Ｂとを備え、このギア部１５１Ｂの前面には、リードスクリュー１１１に噛み合う複数（本実施形態では２つ）の第１の突起１６１、１６１が形成されている。また、ラック部材本体１５１Ａの前面には、これら突起１６１に並べて第２の突起１６２、１６２が形成されている。本構成では、ギア部１５１Ｂに形成された第１の突起１６１が可動歯として機能し、ラック部材本体１５１Ａに形成された第２の突起１６２が固定歯として機能する。
【００４３】
ギア部１５１Ｂは、図１９に示すように、その下端が薄肉部１５１Ｃを介して、ラック部材本体１５１Ａに連結されている。すなわち、ラック部材１５１は、ラック部材本体１５１Ａとギア部１５１Ｂとを備えて樹脂により一体成形されており、このギア部１５１Ｂは、薄肉部１５１Ｃを介して傾倒自在に構成されている。
また、ラック部材本体１５１Ａとギア部１５１Ｂとの間には、空間Ｑが形成され、この空間Ｑに上記ギア部１５１をリードスクリュー１１１に向けて付勢するコイルばね１５５が収容される。このコイルばね１５５の一端１５５Ａは、上記空間Ｑを形成するラック部材本体１５１Ａの前面１５２に当接し、他端１５５Ｂは、ギア部１５１Ｂの裏面に形成された凹部１５３（図９）に嵌るように構成される。
本構成では、ラック部材１５１Ｂには、このラック部材１５１Ｂの両側端から延出した規制部１５１Ｄが形成されるとともに、ラック部材本体１５１Ａには、この規制部１５１Ｄが収容される溝部１６３が形成されている。ギア部１５１Ｂが薄肉部１５１Ｃを介して傾倒した場合に、規制部１５１Ｄが溝部１６３の前面１６３Ａに当接することにより、当該ギア部１５１Ｂの傾倒角度が規制される。
【００４４】
本実施形態によれば、ディスクを回転させるドライブユニット９と、この回転したディスクから信号を読み出すピックアップと、このピックアップをディスクの半径方向にスライド移動させるピックアップ駆動機構１１０とを備え、このピックアップ駆動機構１１０は、ディスクの半径方向に沿って配置されたリードスクリュー１１１と、このリードスクリュー１１１と平行に配置された案内シャフト１１２、１１３と、この案内シャフト１１２、１１３に軸方向に移動自在に支持され、ピックアップを載置するピックアップ光学部品支持部材１１４と、このピックアップ光学部品支持部材１１４に連結された樹脂製のラック部材本体１５１Ａと、このラック部材本体１５１Ａに薄肉部１５１Ｃを介して傾倒自在に設けられ、リードスクリュー１１１と噛み合うギア部１５１Ｂと、ラック部材本体１５１Ａに設けられ、ギア部１５１Ｂをリードスクリュー１１１に向けて付勢するコイルばね１５５とを備え、ギア部１５１Ｂに、ラック部材本体１５１Ａに係合して、当該ギア部１５１Ｂの傾倒角度を規制する規制部１５１Ｄを設けたため、この規制部１５１Ｄは、ギア部１５１Ｂが薄肉部１５１Ｃを介して所定角度以上に傾倒することを防止し、このギア部１５１Ｂの傾倒に伴う薄肉部１５１Ｃのクリープ変形を防止できる。
また、コイルばね１５５によるクリープ変形を最小減に抑えることができるため、ピックアップ駆動部１１０の組み付け作業を容易に行うことができる。
【００４５】
また、本実施形態によれば、ラック部材本体１５１Ａとギア部１５１Ｂとが樹脂により一体に成形されているため、ラック部材１５１を容易に作成することができる。
【００４６】
上記構成では、支持体の駆動機構をディスクプレーヤのピックアップを駆動する機構に適用していたが、これに限るものではなく、例えば、この駆動機構をプリンタのヘッドを駆動する機構に適用したり、カメラのズーミングレンズやフォーカスレンズ等の可動レンズを駆動する機構に適用したりすることも可能である。
【図面の簡単な説明】
【００４７】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】ロアーシャーシにドライブユニットを取り付けた平面図である。
【図７】ピックアップ駆動部の斜視図である。
【図８】ラック部材の分解斜視図である。
【図９】ラック部材の断面を示す斜視図である。
【図１０】一対のゲート部材を示す斜視図である。
【図１１】１２ｃｍディスクでゲート部材を開いた状態を示す斜視図である。
【図１２】８ｃｍディスクでゲート部材を開いた状態を示す斜視図である。
【図１３】Ａはアッパーシャーシを裏側から見た斜視図、Ｂは縦孔を示す図である。
【図１４】８ｃｍディスクを挿入した場合の断面図である。
【図１５】同じく斜視図である。
【図１６】１２ｃｍディスクを挿入した場合の断面図である。
【図１７】同じく斜視図である。
【図１８】別の実施形態にかかるラック部材の分解斜視図である。
【図１９】このラック部材の断面を示す斜視図である。
【符号の説明】
【００４８】
１  本体
３  シャーシ
５  ロアーシャーシ
７  アッパーシャーシ
９  ドライブユニット
１１０  ピックアップ駆動部（支持体駆動機構、ピックアップ駆動機構）
１１１  リードスクリュー
１１２、１１３  案内シャフト
１１４  ピックアップ光学部品支持部材
１１５、１５０  ラック部材
１１５Ａ、１５１Ａ  ラック部材本体（支持体）
１１５Ｂ、１５１Ｂ  ギア部
１１５Ｃ、１５１Ｃ  薄肉部
１２１  板ばね
１２１Ｄ、１５１Ｄ  規制部
１５５  コイルばね
【図１】
2007257770.tif 000003
【図２】
2007257770.tif 000004
【図３】
2007257770.tif 000005
【図４】
2007257770.tif 000006
【図５】
2007257770.tif 000007
【図６】
2007257770.tif 000008
【図７】
2007257770.tif 000009
【図８】
2007257770.tif 000010
【図９】
2007257770.tif 000011
【図１０】
2007257770.tif 000012
【図１１】
2007257770.tif 000013
【図１２】
2007257770.tif 000014
【図１３】
2007257770.tif 000015
【図１４】
2007257770.tif 000016
【図１５】
2007257770.tif 000017
【図１６】
2007257770.tif 000018
【図１７】
2007257770.tif 000019
【図１８】
2007257770.tif 000020
【図１９】
2007257770.tif 000021